【手続補正書】
【提出日】平成17年7月15日(2005.7.15)
【手続補正１】
【補正対象書類名】明細書
【補正対象項目名】特許請求の範囲
【補正方法】変更
【補正の内容】
【特許請求の範囲】
【請求項１】
離間して配置される情報センタと端末装置間でプログラムの配信を行う配信システムであって、
上記情報センタは、複数のプログラムを蓄積する記憶手段と、上記端末装置にて選択された所望のプログラムを上記記憶手段に蓄積された複数のプログラムから選択するデータ検索手段と、上記データ検索手段にて選択された所望のプログラムに対して、プログラム全体の概要が把握可能な概要データと、上記概要データと合成することで元のプログラムに復元可能な補完データとに分離する分離手段と、上記分離手段にて分離した上記概要データと上記補完データを時分割に送信する送信手段とからなり、
各端末装置は、上記情報センタから配信される上記概要データと上記補完データとを受信する受信手段と、上記受信手段にて受信した上記概要データと上記補完データとを合成する合成手段と、上記概要データに基づいて再生を行う再生手段とからなることを特徴とする配信システム。
【請求項２】
上記プログラムはオーディオデータからなり、
上記分離手段は、上記オーディオデータを複数の帯域に分割して各帯域毎に周波数成分に分解する変換手段と、上記変換手段にて各帯域毎に変換された周波数成分に対して量子化雑音をマスキングするように量子化ビットを割り当てて符号化するエンコード手段とを備え、上記複数に分割された帯域のうち１の帯域に対応するエンコード手段の出力を概要データとして出力し、他の帯域に対応するエンコード手段の出力を補完データとして出力することを特徴とする請求項１記載の配信システム。
【請求項３】
上記プログラムはオーディオデータからなり、
上記分離手段は、上記オーディオデータの複数のチャンネルの加算出力と上記オーディオデータの複数のチャンネルの減算出力とを生成し、上記加算出力と減算出力の一方を概要データとして出力し、他方を補完データとして出力することを特徴とする請求項１記載の配信システム。
【請求項４】
上記プログラムはオーディオデータからなり、
上記分離手段は、上記オーディオデータの周波数領域にてスペクトラム化して偶数スペクトラムと奇数スペクトラムを交互に出力する変換手段から構成され、上記偶数スペクトラムと奇数スペクトラムの一方を概要データとして出力し、他方を補完データとして出力することを特徴とする請求項１記載の配信システム。
【請求項５】
上記プログラムはオーディオデータからなり、
上記分離手段は、上記オーディオデータをボーカルデータと伴奏データに分離し、上記ボーカルデータと伴奏データの一方を概要データとして出力し、他方を補完データとして出力することを特徴とする請求項１記載の配信システム。
【請求項６】
上記情報センタからの上記端末装置への上記補完データのダウンロードが開始されても、上記概要データの再生は継続することを特徴とする請求項１記載の配信システム。
【請求項７】
上記端末装置での上記概要データの再生は無料とすることを特徴とする請求項１記載の配信システム。
【請求項８】
上記情報センタは、上記補完データに錠前データを付加して上記端末装置に送信し、端末装置側で所定の課金処理を施すことで上記錠前データに対応する鍵データを入手し、補完データの再生を許可することを特徴とする請求項１記載の配信システム。
【請求項９】
端末装置にプログラムの配信を行う情報センタであって、
複数のプログラムを蓄積する記憶手段と、
上記端末装置にて選択された所望のプログラムを上記記憶手段に蓄積された複数のプログラムから選択するデータ検索手段と、
上記データ検索手段にて選択された所望のプログラムに対して、プログラム全体の概要が把握可能な概要データ、上記概要データと合成することで元のプログラムに復元可能な補完データとに分離する分離手段と、
上記分離手段にて分離した上記概要データと上記補完データを時分割に送信する送信手段とからなることを特徴とする情報センタ。
【請求項１０】
上記プログラムはオーディオデータからなり、
上記分離手段は、上記オーディオデータを複数の帯域に分割して各帯域毎に周波数成分に分解する変換手段と、上記変換手段にて各帯域毎に変換された周波数成分に対して量子化雑音をマスキングするように量子化ビットを割り当てて符号化するエンコード手段とを備え、上記複数に分割された帯域のうち１の帯域に対応するエンコード手段の出力を概要データとして出力し、他の帯域に対応するエンコード手段の出力を補完データとして出力することを特徴とする請求項９記載の情報センタ。
【請求項１１】
上記プログラムはオーディオデータからなり、
上記分離手段は、上記オーディオデータの複数のチャンネルの加算出力と上記オーディオデータの複数のチャンネルの減算出力とを生成し、上記加算出力と減算出力の一方を概要データとして出力し、他方を補完データとして出力することを特徴とする請求項９記載の情報センタ。
【請求項１２】
上記プログラムはオーディオデータからなり、
上記分離手段は、上記オーディオデータの周波数領域にてスペクトラム化して偶数スペクトラムと奇数スペクトラムを交互に出力する変換手段から構成され、上記偶数スペクトラムと奇数スペクトラムの一方を概要データとして出力し、他方を補完データとして出力することを特徴とする請求項９記載の情報センタ。
【請求項１３】
上記プログラムはオーディオデータからなり、
上記分離手段は、上記オーディオデータをボーカルデータと伴奏データに分離し、上記ボーカルデータと伴奏データの一方を概要データとして出力し、他方を補完データとして出力することを特徴とする請求項９記載の情報センタ。
【請求項１４】
上記情報センタは、上記補完データに錠前データを付加して上記端末装置に送信することを特徴とする請求項９記載の情報センタ。
【請求項１５】
情報センタから配信されるプログラムを受信する端末装置であって、
上記情報センタから配信される概要データと補完データとを受信する受信手段と、
上記受信手段にて受信した上記概要データと上記補完データとを合成する合成手段と、上記概要データに基づいて再生を行う再生手段とからなることを特徴とする端末装置。
【請求項１６】
上記情報センタから配信されるプログラムは、オーディオデータからなり、上記オーディオデータを複数の帯域に分割して各帯域毎に周波数成分に分解し、各帯域毎に変換された周波数成分に対して量子化雑音をマスキングするように量子化ビットを割り当てる符号化をし、上記複数に分割された帯域のうち１の帯域に対応する符号化された符号を概要データとして出力し、他の帯域に対応する符号化された符号を補完データとして出力することを特徴とする請求項１５記載の端末装置。
【請求項１７】
上記情報センタから配信される上記概要データと上記補完データに対して周波数軸上の信号を時間軸上の信号に変換する変換手段と、
上記変換手段にて変換した信号を合成する帯域合成手段とからなるデコード手段をさらに備えてなることを特徴とする請求項１５記載の端末装置。
【請求項１８】
上記情報センタから配信される上記概要データと上記補完データは、複数のチャンネルの加算出力と複数のチャンネルの減算出力とからなり、
上記合成手段は、上記概要データと上記補完データを加減算処理することで原信号に戻すことを特徴とする請求項１５記載の端末装置。
【請求項１９】
上記プログラムはオーディオデータからなり、
上記情報センタから配信される上記概要データと上記補完データは、スペクトラム化された偶数スペクトラムと奇数スペクトラムとから構成され、
上記合成手段は、上記偶数スペクトラムと奇数スペクトラムを交互に出力することで原信号に戻すことを特徴とする請求項１５記載の端末装置。
【請求項２０】
上記プログラムはオーディオデータからなり、
上記情報センタから配信される上記概要データと上記補完データは、ボーカル部とカラオケ部とから構成され、上記合成手段は、上記ボーカル部とカラオケ部を合成することを特徴とする請求項１５記載の端末装置。
【請求項２１】
上記情報センタからの上記補完データのダウンロードが開始されても、上記概要データの再生は継続することを特徴とする請求項１５記載の端末装置。
【請求項２２】
上記概要データの再生は無料とすることを特徴とする請求項１５記載の端末装置。
【請求項２３】
上記情報センタから錠前データを付加されて送信されてくる上記補完データを受信し、所定の課金処理を施すことで上記受信した錠前データに対応する鍵データを入手し、上記補完データの再生を許可することを特徴とする請求項１５記載の端末装置。
【請求項２４】
離間して配置される情報センタと端末装置間でプログラムの配信を行う配信方法であって、
上記端末装置での所望のプログラムの選択に応じて、上記選択された所望のプログラムに対して、プログラム全体の概要が把握可能な概要データと、上記概要データと合成することで元のプログラムに復元可能な補完データとに分離し、上記分離した上記概要データと上記補完データを時分割に上記端末装置に送信し、
上記情報センタから配信される上記概要データと上記補完データとを受信し、上記受信した上記概要データと上記補完データとを合成し、上記概要データに基づいて再生を行うことを特徴とする配信方法。
【手続補正２】
【補正対象書類名】明細書
【補正対象項目名】０００６
【補正方法】変更
【補正の内容】
【０００６】
【課題を解決するための手段】
本発明は、離間して配置される情報センタと端末装置間でプログラムの配信を行う配信システムであって、上記情報センタは、複数のプログラムを蓄積する記憶手段と、上記端末装置にて選択された所望のプログラムを上記記憶手段に蓄積された複数のプログラムから選択するデータ検索手段と、上記データ検索手段にて選択された所望のプログラムに対して、プログラム全体の概要が把握可能な概要データと、上記概要データと合成することで元のプログラムに復元可能な補完データとに分離する分離手段と、上記分離手段にて分離した上記概要データと上記補完データを時分割に送信する送信手段とからなり、上記各端末装置は、上記情報センタから配信される上記概要データと上記補完データとを受信する受信手段と、上記受信手段にて受信した上記概要データと上記補完データとを合成する合成手段と、上記概要データに基づいて再生を行う再生手段とからなることを特徴とする。
【手続補正３】
【補正対象書類名】明細書
【補正対象項目名】０００８
【補正方法】変更
【補正の内容】
【０００８】
また、本発明は、情報センタから配信されるプログラムを受信する端末装置であって、上記情報センタから配信される概要データと補完データとを受信する受信手段と、上記受信手段にて受信した上記概要データと上記補完データとを合成する合成手段と、上記概要データに基づいて再生を行う再生手段とからなることを特徴とする。
【手続補正４】
【補正対象書類名】明細書
【補正対象項目名】０００９
【補正方法】変更
【補正の内容】
【０００９】
さらに、本発明は、離間して配置される情報センタと端末装置間でプログラムの配信を行う配信方法であって、上記端末装置での所望のプログラムの選択に応じて、上記選択された所望のプログラムに対して、プログラム全体の概要が把握可能な概要データと、上記概要データと合成することで元のプログラムに復元可能な補完データとに分離し、上記分離した上記概要データと上記補完データを時分割に上記端末装置に送信し、 上記情報センタから配信される上記概要データと上記補完データとを受信し、上記受信した上記概要データと上記補完データとを合成し、上記概要データに基づいて再生を行うことを特徴とする。
【手続補正５】
【補正対象書類名】明細書
【補正対象項目名】００８２
【補正方法】変更
【補正の内容】
【００８２】
【発明の効果】
以上詳細に説明したように、本発明によれば、離間して配置される情報センタと端末装置間でプログラムの配信を行う配信システムにおいて、上記情報センタから、上記端末装置での所望のプログラムの選択に応じて、上記選択された所望のプログラムに対して、プログラム全体の概要が把握可能な概要データと、上記概要データと合成することで元のプログラムに復元可能な補完データとに分離し、上記分離した上記概要データと上記補完データを時分割に送信するので、端末装置側では、上記情報センタから配信される上記概要データと上記補完データとを受信し、上記受信した上記概要データと上記補完データとを合成し、上記概要データに基づいて再生を行うことができ、端末装置側の受信可能転送レートが低い場合でも概要データを先に受信することでダウンロードを行っているプログラムの連続したダイジェスト再生が可能となる。
【手続補正６】
【補正対象書類名】明細書
【補正対象項目名】００８４
【補正方法】変更
【補正の内容】
【００８４】
また、本発明に係る端末装置は、情報センタから配信される概要データと補完データとを受信し、上記受信した上記概要データと上記補完データとを合成し、上記概要データに基づいて再生を行うことができる。
【手続補正７】
【補正対象書類名】明細書
【補正対象項目名】００８５
【補正方法】変更
【補正の内容】
【００８５】
さらに、本発明に係る配信方法では、端末装置での所望のプログラムの選択に応じて、上記選択された所望のプログラムに対して、プログラム全体の概要が把握可能な概要データと、上記概要データと合成することで元のプログラムに復元可能な補完データとに分離し、上記分離した上記概要データと上記補完データを時分割に上記端末装置に送信し、上記情報センタから配信される上記概要データと上記補完データとを受信し、上記受信した上記概要データと上記補完データとを合成し、上記概要データに基づいて再生を行うので、端末装置側の受信可能転送レートが低い場合でも概要データを先に受信することでダウンロードを行っているプログラムの連続したダイジェスト再生が可能となる。
【手続補正８】
【補正対象書類名】明細書
【補正対象項目名】００８６
【補正方法】変更
【補正の内容】
【００８６】
本発明の特徴は、情報センターから概要データと補完データを分離して、概要データを補完データより先に伝送することで、受信側の端末装置で概要データの再生ができる点にある。さらに、概要データは伝送する曲の前奏，間奏，後奏のみの部分再生ではなく、音質は悪いが曲全体に対しての再生ができるという点で優れている。